(57)【特許請求の範囲】
【請求項１】
上り方向ユーザデータの伝送速度を制御する伝送速度制御データを基地局が無線端末に送信する無線通信システムであって、
前記無線端末は、自端末に割り当てられている前記伝送速度が十分であるか否かを示す制御データを前記基地局に送信する端末側送信部を有し、
前記基地局は、
前記伝送速度を制御する対象とすべき前記無線端末である制御対象端末に割り当てられた優先度と、前記制御対象端末と比較する対象とすべき前記無線端末である比較対象端末に割り当てられた優先度とを比較する比較部と、
前記比較対象端末から受信する前記制御データのうち、前記伝送速度が十分であることを示す前記制御データの比率である満足率が所定閾値を下回っているか否かを判定する第１判定部と、
前記制御対象端末に割り当てられた優先度が前記比較対象端末に割り当てられた優先度よりも低く、かつ、前記満足率が前記所定閾値を下回っている場合に、前記伝送速度の減少を指示する前記伝送速度制御データである伝送速度減少データを前記制御対象端末に送信する基地局側送信部とを有することを特徴とする無線通信システム。
【請求項２】
前記基地局は、前記制御対象端末に割り当てられている前記伝送速度に基づいて、前記制御対象端末に割り当てられている前記伝送速度を減少させるか否かを判定する第２判定部をさらに有し、
前記基地局側送信部は、前記制御対象端末に割り当てられた優先度が前記比較対象端末に割り当てられた優先度よりも低く、かつ、前記満足率が前記所定閾値を下回っている場合であっても、前記制御対象端末に割り当てられている前記伝送速度を減少させないと判定された場合には、前記制御対象端末に対する前記伝送速度減少データの送信を規制することを特徴とする請求項１に記載の無線通信システム。
【請求項３】
前記基地局は、前記無線端末に割り当てられる優先度とは異なる基準で定められた重付値によって、前記制御対象端末及び前記比較対象端末に割り当てられた優先度の重み付けを行って、前記制御対象端末及び前記比較対象端末の重付優先度をそれぞれ取得する重付部をさらに有し、
前記比較部は、前記制御対象端末の重付優先度と前記比較対象端末の重付優先度とを比較し、
前記基地局側送信部は、前記制御対象端末の重付優先度が前記比較対象端末の重付優先度よりも低く、かつ、前記満足率が前記所定閾値を下回っている場合に、前記伝送速度減少データを前記制御対象端末に送信することを特徴とする請求項１に記載の無線通信システム。
【請求項４】
前記基地局は、所定の選択基準に従って、前記制御対象端末及び前記比較対象端末を選択する選択部をさらに有することを特徴とする請求項１に記載の無線通信システム。
【請求項５】
上り方向ユーザデータの伝送速度を制御する伝送速度制御データを基地局が無線端末に送信する無線通信方法であって、
前記無線端末が、自端末に割り当てられている前記伝送速度が十分であるか否かを示す制御データを前記基地局に送信するステップと、
前記基地局が、前記伝送速度を制御する対象とすべき前記無線端末である制御対象端末に割り当てられた優先度と、前記制御対象端末と比較する対象とすべき前記無線端末である比較対象端末に割り当てられた優先度とを比較するステップと、
前記基地局が、前記比較対象端末から受信する前記制御データのうち、前記伝送速度が十分であることを示す前記制御データの比率である満足率が所定閾値を下回っているか否かを判定するステップと、
前記基地局が、前記制御対象端末に割り当てられた優先度が前記比較対象端末に割り当てられた優先度よりも低く、かつ、前記満足率が前記所定閾値を下回っている場合に、前記伝送速度の減少を指示する前記伝送速度制御データである伝送速度減少データを前記制御対象端末に送信するステップとを含むことを特徴とする無線通信方法。
【請求項６】
上り方向ユーザデータの伝送速度を制御する伝送速度制御データを無線端末に送信する基地局であって、
前記無線端末に割り当てられている前記伝送速度が十分であるか否かを示す制御データを前記無線端末から受信する受信部と、
前記伝送速度を制御する対象とすべき前記無線端末である制御対象端末に割り当てられた優先度と、前記制御対象端末と比較する対象とすべき前記無線端末である比較対象端末に割り当てられた優先度とを比較する比較部と、
前記比較対象端末から受信する前記制御データのうち、前記伝送速度が十分であることを示す前記制御データの比率である満足率が所定閾値を下回っているか否かを判定する第１判定部と、
前記制御対象端末に割り当てられた優先度が前記比較対象端末に割り当てられた優先度よりも低く、かつ、前記満足率が前記所定閾値を下回っている場合に、前記伝送速度の減少を指示する前記伝送速度制御データである伝送速度減少データを前記制御対象端末に送信する基地局側送信部とを備えることを特徴とする基地局。
【発明の詳細な説明】
【技術分野】
【０００１】
本発明は、上り方向ユーザデータの伝送速度を制御する伝送速度制御データを基地局が無線端末に送信する無線通信システム、無線通信方法及び基地局に関する。
【背景技術】
【０００２】
従来、基地局（Ｂａｓｅ  Ｓｔａｔｉｏｎ）及び無線制御装置（Ｒａｄｉｏ  Ｎｅｔｗｏｒｋ  Ｃｏｎｔｒｏｌｌｅｒ）を含む無線通信システムが知られている。基地局は、単数又は複数のセルを有しており、各セルは、無線端末と無線通信を行う。無線制御装置は、複数の基地局を管理しており、無線端末に対する無線リソースの割り当てを行っている。なお、このような技術（以下、第１技術）は、Ｒ９９（Ｒｅｌｅａｓｅ  ９９）などと称されることもある。
【０００３】
近年、スループットの向上や遅延時間の短縮などを目的として、無線端末から基地局（ネットワーク側）への上り方向ユーザデータに対する無線リソースの割り当てなどを基地局が行う技術が提案されている。なお、このような技術（以下、第２技術）は、ＨＳＵＰＡ（Ｈｉｇｈ  Ｓｐｅｅｄ  Ｕｐｌｉｎｋ  Ｐａｃｋｅｔ  Ａｃｃｅｓｓ）やＥＵＬ（Ｅｎｈａｎｃｅｄ  Ｕｐｌｉｎｋ）などと称されることもある。
【０００４】
上述した第２技術では、無線端末は、拡張個別物理データチャネル（Ｅ−ＤＰＤＣＨ；Ｅｎｈａｎｃｅｄ  Ｄｅｄｉｃａｔｅｄ  Ｐｈｙｓｉｃａｌ  Ｄａｔａ  Ｃｈａｎｎｅｌ）を介して上り方向ユーザデータを基地局に送信する。上り方向ユーザデータの伝送速度（例えば、ＳＧ（Ｓｅｒｖｉｎｇ  Ｇｒａｎｔ）によって定められるＴＢＳ（Ｔｒａｎｓｐｏｒｔ  Ｂｌｏｃｋ  Ｓｉｚｅ））は、無線端末が基地局から受信する絶対伝送速度制御データ（ＡＧ；Ａｂｓｏｌｕｔｅ  Ｇｒａｎｔ）及び相対伝送速度制御データ（ＲＧ；Ｒｅｌａｔｉｖｅ  Ｇｒａｎｔ）によって制御される。
【０００５】
ここで、無線端末は、ＡＧやＲＧによって制御されるＳＧが十分であるか否かを示すハッピービット（Ｈａｐｐｙ  Ｂｉｔ）を基地局に送信可能である。ハッピービットの種類としては、ＳＧが十分であることを示す“Ｈａｐｐｙ”と、ＳＧが不足していることを示す“Ｕｎｈａｐｐｙ”とが挙げられる（例えば、非特許文献１）。
【０００６】
基地局は、ハッピービットのうち、“Ｈａｐｐｙ”の比率である満足率（Ｈａｐｐｙ  Ｂｉｔ  Ｒａｔｅ）が所定閾値を下回った場合に、無線端末に割り当てるＳＧを増大させる。
【非特許文献１】３ＧＰＰ  ＴＳ２５．３２１  ｖｅｒ．７  １１．８．１．５  “Ｈａｐｐｙ  Ｂｉｔ  Ｓｅｔｔｉｎｇ”
【発明の開示】
【発明が解決しようとする課題】
【０００７】
しかしながら、上述した第２技術では、単に、一の無線端末から受信するハッピービットに基づいて、一の無線端末に割り当てるＳＧが制御されるに過ぎない。
【０００８】
すなわち、他の無線端末の状況が考慮されていないため、複数の無線端末間において無線リソースの割り当てが適切に行われているとはいえない。
【０００９】
そこで、本発明は、上述した課題を解決するためになされたものであり、複数の無線端末間において無線リソースの割り当てを適切に行うことを可能とする無線通信システム、無線通信方法及び基地局を提供することを目的とする。
【課題を解決するための手段】
【００１０】
一の特徴では、上り方向ユーザデータの伝送速度を制御する伝送速度制御データを基地局が無線端末に送信する無線通信システムは以下の構成を備える。前記無線端末は、自端末に割り当てられている前記伝送速度が十分であるか否かを示す制御データを前記基地局に送信する端末側送信部（通信部１１）を有する。前記基地局は、前記伝送速度を制御する対象とすべき前記無線端末である制御対象端末に割り当てられた優先度と、前記制御対象端末と比較する対象とすべき前記無線端末である比較対象端末に割り当てられた優先度とを比較する比較部（比較部１２６）と、前記比較対象端末から受信する前記制御データのうち、前記伝送速度が十分であることを示す前記制御データの比率である満足率が所定閾値を下回っているか否かを判定する第１判定部（第１判定部１２７）と、前記制御対象端末に割り当てられた優先度が前記比較対象端末に割り当てられた優先度よりも低く、かつ、前記満足率が前記所定閾値を下回っている場合に、前記伝送速度の減少を指示する前記伝送速度制御データである伝送速度減少データを前記制御対象端末に送信する基地局側送信部（通信部１１０及びスケジューリング部１２０ａ）とを有する。
【００１１】
かかる特徴によれば、基地局側送信部は、制御対象端末及び比較対象端末の優先度の比較結果及び比較対象端末の満足率に応じて、伝送速度減少データを制御対象端末に送信するか否かを決定する。
【００１２】
従って、単に、一の無線端末から受信する制御データに基づいて、一の無線端末に割り当てる伝送速度が制御される場合に比べて、複数の無線端末間において無線リソースの割り当てを適切に行うことができる。
【００１３】
上述した一の特徴において、前記基地局は、前記制御対象端末に割り当てられている前記伝送速度に基づいて、前記制御対象端末に割り当てられている前記伝送速度を減少させるか否かを判定する第２判定部（第２判定部１２８）をさらに有する。前記基地局側送信部は、前記制御対象端末に割り当てられた優先度が前記比較対象端末に割り当てられた優先度よりも低く、かつ、前記満足率が前記所定閾値を下回っている場合であっても、前記制御対象端末に割り当てられている前記伝送速度を減少させないと判定された場合には、前記制御対象端末に対する前記伝送速度減少データの送信を規制する。
【００１４】
上述した一の特徴において、前記基地局は、前記無線端末に割り当てられる優先度とは異なる基準で定められた重付値によって、前記制御対象端末及び前記比較対象端末に割り当てられた優先度の重み付けを行って、前記制御対象端末及び前記比較対象端末の重付優先度をそれぞれ取得する重付部（重付部１２９）をさらに有する。前記比較部は、前記制御対象端末の重付優先度と前記比較対象端末の重付優先度とを比較する。前記基地局側送信部は、前記制御対象端末の重付優先度が前記比較対象端末の重付優先度よりも低く、かつ、前記満足率が前記所定閾値を下回っている場合に、前記伝送速度減少データを前記制御対象端末に送信する。
【００１５】
上述した一の特徴において、前記基地局は、所定の選択基準に従って、前記制御対象端末及び前記比較対象端末を選択する選択部（選択部１２５）をさらに有する。
【００１６】
一の特徴では、上り方向ユーザデータの伝送速度を制御する伝送速度制御データを基地局が無線端末に送信する無線通信方法は、以下のステップを含む。無線通信方法は、前記無線端末が、自端末に割り当てられている前記伝送速度が十分であるか否かを示す制御データを前記基地局に送信するステップと、前記基地局が、前記伝送速度を制御する対象とすべき前記無線端末である制御対象端末に割り当てられた優先度と、前記制御対象端末と比較する対象とすべき前記無線端末である比較対象端末に割り当てられた優先度とを比較するステップと、前記基地局が、前記比較対象端末から受信する前記制御データのうち、前記伝送速度が十分であることを示す前記制御データの比率である満足率が所定閾値を下回っているか否かを判定するステップと、前記基地局が、前記制御対象端末に割り当てられた優先度が前記比較対象端末に割り当てられた優先度よりも低く、かつ、前記満足率が前記所定閾値を下回っている場合に、前記伝送速度の減少を指示する前記伝送速度制御データである伝送速度減少データを前記制御対象端末に送信するステップとを含む。
【００１７】
一の特徴では、基地局は、上り方向ユーザデータの伝送速度を制御する伝送速度制御データを無線端末に送信する。基地局は、前記無線端末に割り当てられている前記伝送速度が十分であるか否かを示す制御データを前記無線端末から受信する受信部（通信部１１０）と、前記伝送速度を制御する対象とすべき前記無線端末である制御対象端末に割り当てられた優先度と、前記制御対象端末と比較する対象とすべき前記無線端末である比較対象端末に割り当てられた優先度とを比較する比較部（比較部１２６）と、前記比較対象端末から受信する前記制御データのうち、前記伝送速度が十分であることを示す前記制御データの比率である満足率が所定閾値を下回っているか否かを判定する第１判定部（第１判定部１２７）と、前記制御対象端末に割り当てられた優先度が前記比較対象端末に割り当てられた優先度よりも低く、かつ、前記満足率が前記所定閾値を下回っている場合に、前記伝送速度の減少を指示する前記伝送速度制御データである伝送速度減少データを前記制御対象端末に送信する基地局側送信部（通信部１１０及びスケジューリング部１２０ａ）とを備える。
【発明の効果】
【００１８】
本発明によれば、複数の無線端末間において無線リソースの割り当てを適切に行うことを可能とする無線通信システム、無線通信方法及び基地局を提供することができる。
【発明を実施するための最良の形態】
【００１９】
以下において、本発明の実施形態に係る無線通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［第１実施形態］
（無線通信システムの構成）
以下において、第１実施形態に係る無線通信システムの構成について、図面を参照しながら説明する。図１は、第１実施形態に係る無線通信システムを示す図である。図１に示すように、無線通信システムは、無線端末１０（無線端末１０ａや無線端末１０ｂ）と、基地局１００とを有する。
【００２２】
無線端末１０は、上り方向ユーザデータを基地局１００に送信する。具体的には、無線端末１０は、無線制御装置が無線リソースの割り当てなどを行う枠組みにおいて、個別物理データチャネル（ＤＰＤＣＨ；Ｄｅｄｉｃａｔｅｄ  Ｐｈｙｓｉｃａｌ  Ｄａｔａ  Ｃｈａｎｎｅｌ）を介して上り方向ユーザデータを基地局１００に送信する。なお、無線制御装置が無線リソースの割り当てなどを行う枠組みは、Ｒ９９（Ｒｅｌｅａｓｅ９９）などと称されることもある。
【００２３】
無線端末１０は、無線制御装置が無線リソースの割り当てなどを行う枠組みにおいて、個別物理制御チャネル（ＤＰＣＣＨ；Ｄｅｄｉｃａｔｅｄ  Ｐｈｙｓｉｃａｌ  Ｃｏｎｔｒｏｌ  Ｃｈａｎｎｅｌ）を介して上り方向制御データを基地局１００に送信する。
【００２４】
一方で、無線端末１０は、基地局１００が無線リソースの割り当てなどを行う枠組みにおいて、エンハンスド個別物理データチャネル（Ｅ−ＤＰＤＣＨ；Ｅｎｈａｎｃｅｄ  Ｄｅｄｉｃａｔｅｄ  Ｐｈｙｓｉｃａｌ  Ｄａｔａ  Ｃｈａｎｎｅｌ）を介して上り方向ユーザデータを基地局１００に送信する。なお、基地局１００が無線リソースの割り当てなどを行う枠組みは、ＨＳＵＰＡ（Ｈｉｇｈ  Ｓｐｅｅｄ  Ｕｐｌｉｎｋ  Ｐａｃｋｅｔ  Ａｃｃｅｓｓ）、ＥＵＬ（Ｅｎｈａｎｃｅｄ  Ｕｐｌｉｎｋ）などと称されることもある。
【００２５】
ここで、上り方向ユーザデータは、１ＴＴＩ（Ｔｒａｎｓｍｉｓｓｉｏｎ  Ｔｉｍｅ  Ｉｎｔｅｒｖａｌ）、すなわち、プロセス（ＨＡＲＱ  ｐｒｏｃｅｓｓ）単位でブロック化される。各ブロック（ＭＡＣ−ｅ  ＰＤＵ）は、無線端末１０に割り当てられたプロセス（以下、アクティブプロセス）を用いて送信される。
【００２６】
また、所定数のプロセス（プロセス＃１〜プロセス＃ｎ）は、１サイクル（ＨＡＲＱ  ＲＴＴ）を構成しており、サイクル単位で繰り返される。なお、１サイクルに含まれるプロセス数は、ＴＴＩ長に応じて定められている。例えば、ＴＴＩ長が２ｍｓである場合には、１サイクル内に含まれるプロセス数は“８”である。ＴＴＩ長が１０ｍｓである場合には、１サイクル内に含まれるプロセス数は“４”である。
【００２７】
ここで、無線端末１０は、Ｅ−ＤＰＤＣＨを介して送信される上り方向ユーザデータについて、送信電力比と伝送速度とを対応付けるテーブルを有している。送信電力比は、Ｅ−ＤＰＤＣＨの送信電力とＤＰＣＣＨの送信電力との比（Ｅ−ＤＰＤＣＨ／ＤＰＣＣＨ）である。伝送速度は、ＴＢＳ（Ｔｒａｎｓｐｏｒｔ  Ｂｌｏｃｋ  Ｓｉｚｅ）によって表される。
【００２８】
以下においては、無線端末１０に割り当てられている送信電力比をＳＧ（Ｓｅｒｖｉｎｇ  Ｇｒａｎｔ）と称する。なお、送信電力比と伝送速度とは１対１で対応付けられているため、ＳＧ（Ｓｅｒｖｉｎｇ  Ｇｒａｎｔ）は、無線端末１０に割り当てられている送信電力比を示す用語だけではなく、無線端末１０に割り当てられている伝送速度を示す用語として考えてもよい。
【００２９】
なお、無線端末１０は、後述するように、基地局１００から受信した伝送速度制御データ（ＡＧ又はＲＧ）に応じてＳＧを更新する（３ＧＰＰ  ＴＳ２５．３２１  Ｖｅｒ．７．５．０  １１．８．１．３  “Ｓｅｒｖｉｎｇ  Ｇｒａｎｔ  Ｕｐｄａｔｅ”を参照）。続いて、無線端末１０は、送信電力比と伝送速度とを対応付けるテーブルを参照して、ＳＧに対応する伝送速度（すなわち、ＴＢＳ）を決定する（３ＧＰＰ  ＴＳ２５．３２１  Ｖｅｒ．７．５．０  １１．８．１．４  “Ｅ−ＴＦＣ  Ｓｅｌｅｃｔｉｏｎ”を参照）。
【００３０】
無線端末１０は、基地局１００が無線リソースの割り当てなどを行う枠組みにおいて、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）などを介して上り方向制御データを基地局１００に送信する。上り方向制御データとしては、無線端末１０に割り当てられているＳＧが十分であるか否かを示すハッピービット（Ｈａｐｐｙ  Ｂｉｔ）などである。ハッピービットの種類としては、自端末に割り当てられているＳＧが十分であることを示す“Ｈａｐｐｙ”と、自端末に割り当てられているＳＧが不足していることを示す“Ｕｎｈａｐｐｙ”とが挙げられる。なお、ハッピービットは、１ビットで表現される。
【００３１】
基地局１００は、複数のセル（セルＡ〜セルＤ）を有しており、各セルは、自セルに在圏する無線端末１０と通信を行う。各セルは、サービングセルとして機能するケースと非サービングセルとして機能するケースとがある。
【００３２】
なお、「セル」は、基本的に、無線端末１０と通信を行う機能を示す用語として用いることに留意すべきである。また、「セル」は、無線端末１０が在圏するエリアを示す用語として用いる場合もあることに留意すべきである。
【００３３】
例えば、図１において、セルＡに設けられたＥＵＬスケジューラの指示に従って無線端末１０ａが通信を行っているケース（すなわち、セルＡからＥ−ＡＧＣＨを介して受信するＡＧに従って通信を行っているケース）について考える。このようなケースでは、セルＡは、無線端末１０ａにとってサービングセルであり、セルＢ〜セルＤは、無線端末１０ａにとって非サービングセルである。一方で、無線端末１０ａは、セルＡにとってサービング端末であり、セルＢ〜セルＤにとって非サービング端末である。
【００３４】
基地局１００は、ＤＰＤＣＨやＥ−ＤＰＤＣＨなどのデータチャネルを介して上り方向ユーザデータを無線端末１０から受信する。一方、基地局１００は、Ｅ−ＤＰＤＣＨを介して送信される上り方向ユーザデータの伝送速度を制御するための伝送速度制御データを無線端末１０に送信する。なお、伝送速度制御データは、伝送速度の絶対値を制御するための絶対伝送速度制御データ（ＡＧ；Ａｂｓｏｌｕｔｅ  Ｇｒａｎｔ）、伝送速度の相対値を制御するための相対伝送速度制御データ（ＲＧ；Ｒｅｌａｔｉｖｅ  Ｇｒａｎｔ）を含む。
【００３５】
絶対伝送速度制御データ（ＡＧ）は、無線端末１０に割り当てられている送信電力比（Ｅ−ＤＰＤＣＨ／ＤＰＣＣＨ）を直接的に指定するデータ（Ｉｎｄｅｘ）である（３ＧＰＰ  ＴＳ２５．２１２  Ｖｅｒ．７．５．０  ４．１０．１Ａ．１  “Ｉｎｆｏｒｍａｔｉｏｎ  ｆｉｅｌｄ  ｍａｐｐｉｎｇ  ｏｆ  ｔｈｅ  Ａｂｓｏｌｕｔｅ  Ｇｒａｎｔ  Ｖａｌｕｅ”を参照）。
【００３６】
このように、絶対伝送速度制御データ（ＡＧ）は、現在の伝送速度に依拠せずに、伝送速度の値を直接的に指示するコマンドである。
【００３７】
相対伝送速度制御データ（ＲＧ）は、無線端末１０に割り当てられている送信電力比（Ｅ−ＤＰＤＣＨ／ＤＰＣＣＨ）を相対的に指定するデータ（“Ｕｐ”、“Ｄｏｗｎ”、“Ｈｏｌｄ”）である（３ＧＰＰ  ＴＳ２５．３２１  Ｖｅｒ．７．５．０  ９．２．５．２．１  “Ｒｅｌａｔｉｖｅ  Ｇｒａｎｔｓ”を参照）。
【００３８】
このように、相対伝送速度制御データ（ＲＧ）は、現在の伝送速度を相対的に制御するコマンドである。具体的には、現在の伝送速度の増加を指示する増加コマンド“Ｕｐ”、現在の伝送速度の維持を指示する維持コマンド“Ｈｏｌｄ”、現在の伝送速度の減少を指示する減少コマンド“Ｄｏｗｎ”を含む。なお、増加コマンドは、所定増加幅の増加を指示するコマンドであり、減少コマンドは、所定減少幅の減少を指示するコマンドである。所定増加幅は、所定減少幅と同じであってもよく、所定減少幅よりも小さくてもよい。
【００３９】
基地局１００は、絶対伝送速度制御チャネル（Ｅ−ＡＧＣＨ；Ｅ−ＤＣＨ  Ａｂｓｏｌｕｔｅ  Ｇｒａｎｔ  Ｃｈａｎｎｅｌ）を介してＡＧを無線端末１０に送信する。基地局１００は、相対伝送速度制御チャネル（Ｅ−ＲＧＣＨ；Ｅ−ＤＣＨ  Ｒｅｌａｔｉｖｅ  Ｇｒａｎｔ  Ｃｈａｎｎｅｌ）を介してＲＧを無線端末１０に送信する。
【００４０】
例えば、サービングセル（ここでは、セルＡ）は、Ｅ−ＡＧＣＨを介してＡＧを無線端末に送信し、Ｅ−ＲＧＣＨを介してＲＧを無線端末１０に送信する。一方で、非サービングセル（ここでは、セルＢ）は、Ｅ−ＡＧＣＨを介してＡＧを無線端末１０に送信せずに、Ｅ−ＲＧＣＨを介してＲＧを無線端末１０に送信する。
【００４１】
なお、図１では、説明を簡略化するために、Ｒ９９で用いられるチャネル（ＤＰＤＣＨやＤＰＣＣＨなど）が省略されているに過ぎないことに留意すべきである。また、実際には、各セルに多数の無線端末１０が存在していることに留意すべきである。
【００４２】
なお、無線端末１０がサービングセルとして用いるセルは、１セルに限定されるものではなく、複数セルであってもよいことに留意すべきである。
【００４３】
（無線端末の構成）
以下において、第１実施形態に係る無線端末の構成について、図面を参照しながら説明する。図２は、第１実施形態に係る無線端末１０を示すブロック図である。
【００４４】
図２に示すように、無線端末１０は、通信部１１と、ＳＧ管理部１２と、送信バッファ１３と、判定部１４とを有する。
【００４５】
通信部１１は、基地局１００と通信を行う。具体的には、通信部１１は、Ｅ−ＤＰＤＣＨを介して上り方向ユーザデータを基地局１００に送信する。通信部１１は、Ｅ−ＤＰＣＣＨを介して上り方向制御データ（例えば、上述したハッピービット）を基地局１００に送信する。一方で、通信部１１は、上り方向ユーザデータの伝送速度を制御するための伝送速度制御データ（上述したＡＧやＲＧ）を基地局１００から受信する。
【００４６】
ＳＧ管理部１２は、上り方向ユーザデータに割り当てられているＳＧを管理する。ＳＧ管理部１２は、送信電力比（ＳＧ）と伝送速度（ＴＢＳ）とを対応付けるテーブルを有する。
【００４７】
上述したように、ＳＧ管理部１２によって管理されるＳＧは、基地局１００から受信するＡＧやＲＧによって制御される。上り方向ユーザデータの伝送速度は、ＳＧに対応付けられたＴＢＳを超えない範囲で選択される。
【００４８】
送信バッファ１３は、上り方向ユーザデータを蓄積するバッファである。上述した通信部１１は、送信バッファ１３に蓄積された上り方向ユーザデータを送信する。
【００４９】
判定部１４は、無線端末１０に割り当てられているＳＧが十分であるか否かを判定する。例えば、判定部１４は、上り方向ユーザデータに要求されるサービス品質（ＱｏＳ）、送信バッファ１３に蓄積された上り方向ユーザデータのバッファ量などに基づいて、無線端末１０に割り当てられているＳＧが十分であるか否かを判定する。
【００５０】
判定部１４は、ＳＧが十分である場合には、ＳＧが十分であることを示すハッピービット（“Ｈａｐｐｙ”）の送信を通信部１１に指示する。一方で、判定部１４は、ＳＧが不足している場合には、ＳＧが不足していることを示すハッピービット（“Ｕｎｈａｐｐｙ”）の送信を通信部１１に指示する。
【００５１】
ここで、“Ｕｎｈａｐｐｙ”の送信を指示するためには、以下の条件が満たされていることが必要であることに留意すべきである（３ＧＰＰ  ＴＳ２５．３２１  ｖｅｒ．７  １１．８．１．５  “Ｈａｐｐｙ  Ｂｉｔ  Ｓｅｔｔｉｎｇ”）。
【００５２】
（１）  無線端末１０に割り当てられているＳＧの上限値に対応するＴＢＳで、上り方向ユーザデータが送信されている
（２）  無線端末１０に割り当てられているＳＧに相当する送信電力が最大送信電力を超えていない
（３）  送信バッファ１３に蓄積された上り方向ユーザデータの全てを送信するために必要な時間（送信必要時間）が、所定の遅延時間（Ｈａｐｐｙ＿Ｂｉｔ＿Ｄｅｌａｙ＿Ｃｏｎｄｉｔｉｏｎ（ｍｓ））以上必要である
なお、送信必要時間は、（“送信バッファ１３のバッファ量（ＴＥＢＳ；Ｔｏｔａｌ  Ｅ−ＤＣＨＢｕｆｆｅｒ  Ｓｔａｔｕｓ）”×“１サイクルに含まれる総プロセス数”＾２×ＴＴＩ長）／（“ＳＧに対応するＴＢＳ”×“アクティブプロセス数”）を用いて算出可能である。
【００５３】
（基地局の構成）
以下において、第１実施形態に係る基地局の構成について、図面を参照しながら説明する。図３は、第１実施形態に係る基地局１００を示すブロック図である。
【００５４】
図３に示すように、基地局１００は、通信部１１０と、セルＡ機能部１２０と、セルＢ機能部１３０と、セルＣ機能部１４０と、セルＤ機能部１５０とを有する。
【００５５】
通信部１１０は、セルＡ〜セルＤ内に在圏する無線端末１０と通信を行う。具体的には、通信部１１０は、ＤＰＤＣＨやＥ−ＤＰＤＣＨなどのデータチャネルを介して上り方向ユーザデータを無線端末１０から受信する。通信部１１０は、ＤＰＣＣＨやＥ−ＤＰＣＣＨなどの制御チャネルを介して上り方向制御データを無線端末１０から受信する。一方で、通信部１１０は、Ｅ−ＡＧＣＨやＥ−ＲＧＣＨなどの制御チャネルを介して制御データ（ＡＧやＲＧ）を無線端末１０に送信する。
【００５６】
なお、通信部１１０は、基地局１００を管理する上位局（無線制御装置や交換機など）とも通信を行う。
【００５７】
セルＡ機能部１２０は、セルＡに在圏する無線端末１０にとってサービングセルとして機能する。一方で、セルＡ機能部１２０は、セルＢ〜セルＤに在圏する無線端末１０にとって非サービングセルとして機能する。
【００５８】
セルＢ機能部１３０は、セルＢに在圏する無線端末１０にとってサービングセルとして機能する。一方で、セルＢ機能部１３０は、セルＡ、セルＣ及びセルＤに在圏する無線端末１０にとって非サービングセルとして機能する。
【００５９】
セルＣ機能部１４０は、セルＣに在圏する無線端末１０にとってサービングセルとして機能する。一方で、セルＣ機能部１４０は、セルＡ、セルＢ及びセルＤに在圏する無線端末１０にとって非サービングセルとして機能する。
【００６０】
セルＤ機能部１５０は、セルＤに在圏する無線端末１０にとってサービングセルとして機能する。一方で、セルＤ機能部１５０は、セルＡ〜セルＣに在圏する無線端末１０にとって非サービングセルとして機能する。
【００６１】
（セルの構成）
以下において、第１実施形態に係るセルの構成について、図面を参照しながら説明する。図４は、第１実施形態に係るセル（セルＡ機能部１２０）を示すブロック図である。ここでは、セルＡ機能部１２０がサービングセルとして機能するケースについて例示する。
【００６２】
図４に示すように、セルＡ機能部１２０は、セルＡをサービングセルとして用いる無線端末１０に対する無線リソースの割り当てなどを行うスケジューリング部１２０ａと、選択部１２５と、比較部１２６と、第１判定部１２７とを有する。
【００６３】
スケジューリング部１２０ａは、ＡＧ制御部１２１と、ＲＧ制御部１２２と、再送制御部１２３と、送信スロット割当部１２４とを有する。スケジューリング部１２０ａは、ＭＡＣ−ｅ（Ｍｅｄｉａ  Ａｃｃｅｓｓ  Ｃｏｎｔｒｏｌ  Ｅｎｈａｎｃｅｄ）層で動作する。
【００６４】
ＡＧ制御部１２１は、セルＡをサービングセルとして用いる無線端末１０（サービング端末）に対して、Ｅ−ＡＧＣＨを介してＡＧを送信する。なお、ＡＧは、現在の伝送速度に依拠せずに、伝送速度の値を直接的に指示するコマンドである。
【００６５】
ＲＧ制御部１２２は、セルＡをサービングセルとして用いる無線端末１０（サービング端末）に対して、Ｅ−ＲＧＣＨを介してＲＧを送信する。なお、ＲＧは、増加コマンド“Ｕｐ”、維持コマンド“Ｈｏｌｄ”、減少コマンド“Ｄｏｗｎ”である。上述したように、増加コマンド“Ｕｐ”は、所定増加幅の増加を指示するコマンドであり、減少コマンド“Ｄｏｗｎ”は、所定減少幅の減少を指示するコマンドである。
【００６６】
再送制御部１２３は、上り方向ユーザデータに誤りが生じているか否かをブロック（プロセス）毎に判定する。続いて、再送制御部１２３は、誤りを有するブロック（以下、誤りブロック）の再送を無線端末１０に要求する。再送制御技術は、無線端末１０から初めて送信されたブロック（以下、送信ブロック）と無線端末１０から再送されたブロック（以下、再送ブロック）とを合成するＨＡＲＱ（Ｈｙｂｒｉｄ  Ａｕｔｏｍａｔｉｃ  Ｒｅｐｅａｔ  Ｒｅｑｕｅｓｔ）技術である。
【００６７】
送信スロット割当部１２４は、Ｅ−ＤＰＤＣＨを介して送信する上り方向ユーザデータ（ブロック）の送信に用いる送信スロット（すなわち、１ＴＴＩに含まれるプロセス）を無線端末１０に割り当てる。なお、無線端末１０は、送信スロット割当部１２４によって割り当てられたプロセス（アクティブプロセス）で送信ブロックや再送ブロックを基地局１００に送信する。
【００６８】
選択部１２５は、セルＡをサービングセルとして用いる複数の無線端末１０の中から、制御対象端末及び比較対象端末を選択する。制御対象端末は、ＳＧを制御する対象とすべき無線端末１０である。比較対象端末は、制御対象端末と比較する対象とすべき無線端末１０である。
【００６９】
ここで、制御対象端末及び比較対象端末の選択基準は任意である。すなわち、選択部１２５は、制御対象端末及び比較対象端末をランダムに選択してもよい。
【００７０】
一方で、制御対象端末の選択基準は予め定められていてもよい。具体的には、制御対象端末の選択基準は、無線端末１０に割り当てられる優先度とは異なる基準で定められる。例えば、制御対象端末の選択基準は、伝送速度（ＳＧ）を減少させたくない特定の無線端末１０を制御対象端末から除外することなどである。
【００７１】
また、比較対象端末の選択基準は予め定められていてもよい。具体的には、比較対象端末の選択基準は、無線端末１０に割り当てられる優先度とは異なる基準で定められる。例えば、比較対象端末の選択基準は、高い伝送速度（ＳＧ）を必要としており、満足率が低いと想定される特定の無線端末１０を比較対象端末から除外することなどである。
【００７２】
第１判定部１２７は、比較対象端末に割り当てられているＳＧについて比較対象端末が満足しているか否かを判定する。具体的には、第１判定部１２７は、比較対象端末から受信するハッピービットのうち、“Ｈａｐｐｙ”を示すハッピービットの比率である満足率（Ｈａｐｐｙ  Ｂｉｔ  Ｒａｔｅ）が所定閾値を下回っているか否かを判定する。
【００７３】
満足率（Ｈａｐｐｙ  Ｂｉｔ  Ｒａｔｅ）は、“Ｈａｐｐｙ”／“Ｕｎｈａｐｐｙ”であってもよく、“Ｈａｐｐｙ”／（“Ｈａｐｐｙ”＋“Ｕｎｈａｐｐｙ”）であってもよい。
【００７４】
ここで、上述したスケジューリング部１２０ａは、制御対象端末に割り当てられた優先度が比較対象端末に割り当てられた優先度よりも低く、かつ、比較対象端末から受信するハッピービットのうち、“Ｈａｐｐｙ”を示すハッピービットの比率である満足率（Ｈａｐｐｙ  Ｂｉｔ  Ｒａｔｅ）が所定閾値を下回っている場合に、ＳＧの減少を指示する伝送速度制御データ（伝送速度減少データ）を制御対象端末に送信する。伝送速度減少データは、ＡＧであっても、ＲＧであってもよい。
【００７５】
例えば、ＡＧ制御部１２１は、制御対象端末に割り当てられているＳＧよりも低いＳＧを指定するＡＧを伝送速度減少データとして制御対象端末に送信する。ＲＧ制御部１２２は、ＳＧの減少を指示するＲＧ（減少コマンド“Ｄｏｗｎ”）を伝送速度減少データとして制御対象端末に送信する。
【００７６】
ここで、比較対象端末がＵＥ＃１であり、制御対象端末がＵＥ＃２であるケースについて、図５（ａ）及び図５（ｂ）を参照しながら例示する。図５（ａ）及び図５（ｂ）は、セルＡにおける無線リソース（ＳＧ）の割り当て状態を示す図である。
【００７７】
なお、ＵＥ＃１に割り当てられた優先度がＵＥ＃２に割り当てられた優先度よりも高いことを前提とする。また、ＵＥ＃１の満足率（Ｈａｐｐｙ  Ｂｉｔ  Ｒａｔｅ）が所定閾値を下回っていることを前提とする。
【００７８】
無線リソースの割り当て状態が図５（ａ）に示す状態である場合に、上述した前提条件が満たされた場合には、図５（ｂ）に示すように、基地局１００（スケジューリング部１２０ａ）は、制御対象端末（ＵＥ＃２）に割り当てられているＳＧをＡＧ又はＲＧによって減少させる。
【００７９】
これによって、他の無線端末１０に対して割り当て可能な空き無線リソース、すなわち、空き受信伝送速度が確保される。続いて、基地局１００（スケジューリング部１２０ａ）は、空き無線リソースを他の無線端末１０に対して割り当てる。
【００８０】
（基地局１００（セル）の動作）
以下において、第１実施形態に係る基地局１００（セル）の動作について、図面を参照しながら説明する。図６は、第１実施形態に係る基地局１００（セル）の動作を示すフロー図である。
【００８１】
図６に示すように、ステップ１０において、基地局１００は、自セルをサービングセルとして用いる複数の無線端末１０の中から、制御対象端末及び比較対象端末を選択する。
【００８２】
ステップ１１において、基地局１００は、制御対象端末に割り当てられた優先度が比較対象端末に割り当てられた優先度よりも低いか否かを判定する。基地局１００は、制御対象端末に割り当てられた優先度が比較対象端末に割り当てられた優先度より低い場合には、ステップ１２の処理に移る。一方で、基地局１００は、制御対象端末に割り当てられた優先度が比較対象端末に割り当てられた優先度より低くない場合には、一連の処理を終了する。
【００８３】
ステップ１２において、基地局１００は、比較対象端末から受信するハッピービットのうち、“Ｈａｐｐｙ”を示すハッピービットの比率である満足率（Ｈａｐｐｙ  Ｂｉｔ  Ｒａｔｅ）が所定閾値を下回っているか否かを判定する。基地局１００は、比較対象端末の満足率が所定閾値を下回っている場合には、ステップ１３の処理に移る。一方で、基地局１００は、比較対象端末の満足率が所定閾値を下回っていない場合には、一連の処理を終了する。
【００８４】
ステップ１３において、基地局１００は、ＳＧの減少を指示する伝送速度制御データを制御対象端末に送信する。具体的には、基地局１００は、ＡＧ又はＲＧの送信によって、制御対象端末に割り当てられているＳＧを減少させる。
【００８５】
なお、ステップ１０〜ステップ１３の処理は、比較対象端末を替えながら繰り返される。また、比較対象端末とすべき全ての無線端末１０が選択された場合には、ステップ１０〜ステップ１３の処理は、制御対象端末を替えて繰り返される。具体的には、既に制御対象端末となった無線端末を除いた無線端末の中から制御対象端末となる無線端末を選択し、現在制御対象端末となっている無線端末を除いた無線端末を比較対象端末として処理が繰り返され、全ての無線端末を制御対象端末として処理が完了した場合、又は、Ｅ−ＡＧＣＨの本数分ＳＧを減少させる処理を満たした場合に終了する。
【００８６】
（作用及び効果）
第１実施形態では、スケジューリング部１２０ａは、制御対象端末及び比較対象端末の優先度の比較結果及び比較対象端末の満足率に応じて、伝送速度減少データを制御対象端末に送信するか否かを決定する。
【００８７】
従って、単に、一の無線端末から受信する制御データに基づいて、一の無線端末に割り当てる伝送速度が制御される場合に比べて、複数の無線端末間において無線リソースの割り当てを適切に行うことができる。
【００８８】
［第２実施形態］
以下において、第２実施形態について図面を参照しながら説明する。以下においては、上述した第１実施形態と第２実施形態との相違点について主として説明する。
【００８９】
具体的には、上述した第１実施形態では、以下の前提条件が満たされている場合に、基地局１００は、制御対象端末に割り当てられているＳＧを減少させる。前提条件とは、（１）比較対象端末に割り当てられた優先度が制御対象端末に割り当てられた優先度よりも高い、（２）比較対象端末の満足率（Ｈａｐｐｙ  Ｂｉｔ  Ｒａｔｅ）が所定閾値を下回っていることである。
【００９０】
一方で、第２実施形態では、上述した前提条件が満たされている場合において、基地局１００は、制御対象端末に割り当てられているＳＧを減少させるか否かをさらに判定する。
【００９１】
（セルの構成）
以下において、第２実施形態に係るセルの構成について、図面を参照しながら説明する。図７は、第２実施形態に係るセル（セルＡ機能部１２０）を示すブロック図である。なお、図７では、図４と同様の構成について同様の符号を付していることに留意すべきである。
【００９２】
図７に示すように、セルＡ機能部１２０は、図４に示す構成に加えて、第２判定部１２８を有する。第２判定部１２８は、制御対象端末に割り当てられているＳＧに基づいて、制御対象端末に割り当てられているＳＧを減少させるか否かを判定する。具体的には、第２判定部１２８は、制御対象端末に割り当てられているＳＧが所定伝送速度よりも低い場合には、制御対象端末に割り当てられているＳＧを減少させないと判定する。なお、所定伝送速度は、制御対象端末に対して最低でも保障すべき伝送速度（最低保障伝送速度）などである。
【００９３】
第２判定部１２８は、制御対象端末及び比較対象端末に割り当てられているＳＧに基づいて、制御対象端末に割り当てられているＳＧを減少させるか否かを判定してもよい。具体的には、第２判定部１２８は、制御対象端末及び比較対象端末に既に割り当てられているＳＧ（受信伝送速度）の合計とセルＡにおける最大受信可能伝送速度との差分（空き受信伝送速度）が所定受信伝送速度を超えている場合に、制御対象端末に割り当てられているＳＧを減少させないと判定する。なお、空き受信伝送速度は、セルＡにおける空き無線リソースと考えることができる。
【００９４】
上述したスケジューリング部１２０ａは、以下の前提条件が満たされている場合であっても、制御対象端末に割り当てられているＳＧを減少させないと第２判定部１２８によって判定された場合には、制御対象端末に割り当てられているＳＧの減少を指示する伝送速度制御データ（伝送速度減少データ）の送信を規制する。
【００９５】
前提条件とは、上述したように、（１）比較対象端末に割り当てられた優先度が制御対象端末に割り当てられた優先度よりも高い、（２）比較対象端末の満足率（Ｈａｐｐｙ  Ｂｉｔ  Ｒａｔｅ）が所定閾値を下回っていることである。
【００９６】
なお、制御対象端末及び比較対象端末に割り当てられるＳＧは、スケジューリング部１２０ａが送信するＡＧ及びＲＧによって制御されるため、スケジューリング部１２０ａは、制御対象端末及び比較対象端末に既に割り当てられているＳＧ（受信伝送速度）を把握していることに留意すべきである。
【００９７】
（作用及び効果）
第２実施形態では、第２判定部１２８は、制御対象端末に割り当てられているＳＧに基づいて、制御対象端末に割り当てられているＳＧを減少させるか否かを判定する。スケジューリング部１２０ａは、前提条件が満たされている場合であっても、制御対象端末に割り当てられているＳＧを減少させないと第２判定部１２８によって判定された場合に、伝送速度減少データの送信を規制する。
【００９８】
従って、制御対象端末に割り当てられる伝送速度が過剰に減少することを抑制することができる。
【００９９】
一の無線端末１０よりも優先度が低く、無線リソース（ＳＧ）を浪費する他の無線端末１０が存在しており、一の無線端末１０が制御対象端末として選択されたケースについて考える。このようなケースにおいて、一の無線端末１０に割り当てられる伝送速度を減少させなくても、他の無線端末１０が制御対象端末として選択される可能性がある。結果的には、他の無線端末１０に割り当てられる伝送速度が減少するため、空き無線リソース（空き受信伝送速度）を適切に確保することができ、セル全体として無線リソースの利用効率が向上する。
【０１００】
第２実施形態では、第２判定部１２８は、制御対象端末及び比較対象端末に割り当てられているＳＧに基づいて、制御対象端末に割り当てられているＳＧを減少させるか否かを判定する。スケジューリング部１２０ａは、前提条件が満たされている場合であっても、制御対象端末に割り当てられているＳＧを減少させないと第２判定部１２８によって判定された場合に、伝送速度減少データの送信を規制する。
【０１０１】
従って、空き無線リソース（空き受信伝送速度）が既に十分に確保されているケースにおいて、制御対象端末に割り当てられる伝送速度が過剰に減少することを抑制することができる。
【０１０２】
［第３実施形態］
以下において、第３実施形態について図面を参照しながら説明する。以下においては、上述した第１実施形態と第３実施形態との相違点について主として説明する。
【０１０３】
具体的には、上述した第１実施形態では、基地局１００は、制御対象端末に割り当てられた優先度と比較対象端末に割り当てられた優先度とを比較する。
【０１０４】
これに対して、第３実施形態では、基地局１００は、制御対象端末及び比較対象端末に割り当てられた優先度の重み付けを行って、制御対象端末の重付優先度と比較対象端末の重付優先度とを比較する。
【０１０５】
（セルの構成）
以下において、第３実施形態に係るセルの構成について、図面を参照しながら説明する。図８は、第３実施形態に係るセル（セルＡ機能部１２０）を示すブロック図である。なお、図８では、図４と同様の構成について同様の符号を付していることに留意すべきである。
【０１０６】
図８に示すように、セルＡ機能部１２０は、図４に示す構成に加えて、重付部１２９を有する。重付部１２９は、無線端末１０に割り当てられた重付値によって、制御対象端末及び比較対象端末に割り当てられた優先度（Ｐｒｉｏｒｉｔｙ  Ｃｌａｓｓ）の重み付けを行う。これによって、重付部１２９は、制御対象端末の重付優先度及び比較対象端末の重付優先度を取得する。
【０１０７】
ここで、重付値は、優先度とは異なる基準で無線端末１０に割り当てられることに留意すべきである。例えば、重付値は、契約の種別や一時的な状況に応じて、優先度を動的に変更するために用いられる。
【０１０８】
上述した比較部１２６は、制御対象端末の重付優先度と比較対象端末の重付優先度とを比較する。
【０１０９】
上述したスケジューリング部１２０ａは、以下の前提条件が満たされている場合に、制御対象端末に割り当てられているＳＧを減少させる。
【０１１０】
前提条件とは、（１）比較対象端末の重付優先度が制御対象端末の重付優先度よりも高い、（２）比較対象端末の満足率（Ｈａｐｐｙ  Ｂｉｔ  Ｒａｔｅ）が所定閾値を下回っていることである。
【０１１１】
（作用及び効果）
第３実施形態では、重付部１２９は、優先度とは異なる基準で無線端末１０に割り当てられる重付値によって優先度の重み付けを行って、制御対象端末及び比較対象端末の重付優先度を取得する。スケジューリング部１２０ａは、比較対象端末の重付優先度が制御対象端末の重付優先度よりも高く、かつ、比較対象端末の満足率（Ｈａｐｐｙ  Ｂｉｔ  Ｒａｔｅ）が所定閾値を下回っている場合に、伝送速度減少データを制御対象端末に送信する。
【０１１２】
従って、制御対象端末に割り当てられる伝送速度（ＳＧ）を減少させるか否かについて、重付値によって動的に変更することが可能であり、伝送速度制御の自由度が向上する。
【０１１３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１４】
例えば、上述した実施形態では、基地局１００に設けられた第１判定部１２７は、比較対象端末の満足率（Ｈａｐｐｙ  Ｂｉｔ  Ｒａｔｅ）が所定閾値を下回っているか否かを判定するが、これに限定されるものではない。第１判定部１２７は、比較対象端末の不満足率が所定の閾値を上回っているか否かを判定してもよい。不満足率は、“Ｕｎｈａｐｐｙ”／“Ｈａｐｐｙ”であってもよく、“Ｕｎｈａｐｐｙ”／（“Ｈａｐｐｙ”＋“Ｕｎｈａｐｐｙ”）であってもよい。なお、満足率と所定閾値との比較は、不満足率と所定閾値との比較と同義であるため、これらを特に区別して考える必要がないことに留意すべきである。
【０１１５】
上述した実施形態では、上述した実施形態に係る基地局１００の構成及び動作（図４及び図６など）として、サービングセルの構成及び動作を例示したが、これに限定されるものではない。上述した実施形態に係る基地局１００の構成及び動作は、非サービングセルによって実現されてもよく、サービングセル及び非サービングセルの連動によって実現されてもよい。
【図面の簡単な説明】
【０１１６】
【図１】第１実施形態に係る無線通信システムを示す図である。
【図２】第１実施形態に係る無線端末１０を示すブロック図である。
【図３】第１実施形態に係る基地局１００を示すブロック図である。
【図４】第１実施形態に係るセルＡ機能部１２０を示すブロック図である。
【図５】第１実施形態に係る無線リソース（ＳＧ）の割り当て状態を示す図である。
【図６】第１実施形態に係る基地局１００（セル）の動作を示すフロー図である。
【図７】第２実施形態に係るセルＡ機能部１２０を示すブロック図である。
【図８】第３実施形態に係るセルＡ機能部１２０を示すブロック図である。
【符号の説明】
【０１１７】
１０・・・無線端末、１１・・・通信部、１２・・・ＳＧ管理部、１３・・・送信バッファ、１４・・・判定部、１００・・・基地局、１１０・・・通信部、１２０・・・セルＡ機能部、１２０ａ・・・スケジューリング部、１２１・・・ＡＧ制御部、１２２・・・ＲＧ制御部、１２３・・・再送制御部、１２４・・・送信スロット割当部、１２５・・・選択部、１２６・・・比較部、１２７・・・第１判定部、１２８・・・第２判定部、１２９・・・重付部、１３０・・・セルＢ機能部、１４０・・・セルＣ機能部、１５０・・・セルＤ機能部
【図１】
0005030730.tif 000002
【図２】
0005030730.tif 000003
【図３】
0005030730.tif 000004
【図４】
0005030730.tif 000005
【図５】
0005030730.tif 000006
【図６】
0005030730.tif 000007
【図７】
0005030730.tif 000008
【図８】
0005030730.tif 000009